(57)【要約】  【課題】ベースを建築構造床体に固定するタイプの床パネル固定具に用いられる部材をなるべく共用しつつ、床パネルを安定して保持できるようにベースを建築構造床体に単に載置するタイプの床パネル固定具を構成する。  【解決手段】床パネルＰの一部を載置可能なパネル支持体２と、床パネルＰを下方に押圧して前記パネル支持体２との間で床パネルＰを挟持可能なパネル押圧部材３とを具備してなる床パネル固定具１において、前記パネル支持体２を、建築構造床面Ｆに載置され上面に凹部たるボルト取付部４２を有するベース４と、前記ベース４の上面に当接するとともに床パネルＰに当接するガイド板５とを備えるものとし、前記ボルト取付部４２内に雄ねじ部たる起立ボルト４６を起立して設けるとともに、前記パネル押圧部材３を、床パネルＰを上方から押圧するパネル押圧部たる鍔部３１と、前記鍔部３１の下方に設けられ前記起立ボルト４６と螺合可能な雌ねじ部３３とを備えているものとする。  【選択図】図５
2005325541.tif 000002
【特許請求の範囲】
【請求項１】
床パネルの一部を載置可能なパネル支持体と、床パネルを下方に押圧して前記パネル支持体との間で床パネルを挟持可能なパネル押圧部材とを具備するものであって、
前記パネル支持体が、建築構造床面に載置され上面に凹部を有するベースと、前記ベースの上面に当接するとともに床パネルに当接するガイド板とを備え、前記ベースの凹部内に下端部を固定した雄ねじ部を起立して設けているとともに、
前記パネル押圧部材が、床パネルを上方から押圧するパネル押圧部と、前記パネル押圧部の下方に設けられ前記雄ねじ部と螺合可能な雌ねじ部とを備えていることを特徴とする床パネル固定具。
【請求項２】
前記ベースの底面の一部を建築構造床面から離間させていることを特徴とする請求項１記載の床パネル固定具。
【請求項３】
前記ベースが、１枚の金属板に対する板金加工により、前記ガイド板と当接する当接部と、前記凹部と、前記当接部及び前記凹部を接続する起立壁と、建築構造床面に当接する接地部と、前記当接部及び前記接地部を接続する接続部とを一体に形成してなることを特徴とする請求項１又は２記載の床パネル固定具。
【請求項４】
床パネルの隅部が前記パネル支持体上に集合した状態で前記パネル支持体が床パネルを支持可能な構造を有するとともに、前記パネル支持体上に集合した床パネルの隅部を前記パネル支持体と前記パネル押圧部材との間で挟持可能であることを特徴とする請求項１、２又は３記載の床パネル固定具。
【請求項５】
前記雌ねじ部がロックナットであることを特徴とする請求項１、２、３又は４記載の床パネル固定具。
【請求項６】
前記ベースと前記ガイド板とのうち一方に形成した係合凸部と、他方に形成した係合凹部とを係合させてなる係合部を設けていることを特徴とする請求項１、２、３、４又は５記載の床パネル固定具。
【発明の詳細な説明】
【技術分野】
【０００１】
本発明は、床パネルの一部を載置してなるパネル支持体と、床パネルを下方に押圧して前記パネル支持体との間で床パネルを挟持可能なパネル押圧部材とを具備し、床パネルを建築構造床面から離間させた状態に保持する床パネル固定具に関する。
【背景技術】
【０００２】
従来、床パネルを建築構造床面から離間させた状態に保持する床パネル固定具として、種々の構成のものが考えられてきている。一例として、建築構造床面に載置され起立ボルトを有するベースｘ４及び前記ベースｘ４に取り付けられ床パネルを下方から支持し床パネルの位置決めを行う機能を有するガイド板ｘ５を有し建築構造床面に固定されるパネル支持体ｘ２と、前記パネル支持体ｘ２に装着されて床パネルを下方に押圧し該床パネルを前記パネル支持体ｘ２との間で挟持可能なパネル押圧部材ｘ３とを具備する、分解斜視図を図１４に示すようなものが挙げられる。このような床パネル固定具ｘ１においては、前記ベースｘ４は、起立ボルトｘ４１１を有し建築構造床面に載置されるベース本体ｘ４１と、上面にガイド板ｘ５を当接させてなるガイド板受ｘ４２と、前記ベース本体ｘ４１の起立ボルトｘ４１１に螺合して取り付けられ前記ガイド板受ｘ４２に固設されるナットｘ４３とを備えている。（例えば、特許文献１を参照。）なお、特許文献１では、ベース本体はベース、ガイド板受はパネル受、ガイド板はパネル支持板、パネル支持体は支持脚として述べられている。また、この特許文献１記載の構成では、前記ナットｘ４３を前記起立ボルトｘ４１１に対して螺進退させることにより、ガイド板受ｘ４２、ガイド板ｘ５、及び床パネルの高さ位置を変更可能に構成している。
【０００３】
一方、パネル支持体を床盤に固定することなく配置するとともに、床パネルの高さ調整の手間を省略してより簡単に床パネルの敷設を行うことができる床パネル固定具として、例えば、建築構造床面に載置されるパネル支持体と、下方に突出するボルトを前記パネル支持体の上面に設けた雌ねじ部に螺合させて該パネル支持体に取り付けられるパネル押圧部材とを有するものが挙げられる（例えば特許文献２を参照。）なお、特許文献２では、パネル支持体はパネル受部、パネル押圧部材はパネル押え及び留め具として述べられている。また、前記雌ねじ部としては、パネル支持体の上面に設けたボルト挿通孔の下方に固設したナットや、パネル支持体の上面をタッピング加工して形成した雌ねじ孔等が挙げられている。
【特許文献１】特許３２８２７６７号公報
【特許文献２】特許３４５００４３号公報
【発明の開示】
【発明が解決しようとする課題】
【０００４】
前記特許文献２のような構成では、前記ナットの雌ねじ孔の深さないし前記タッピング加工して形成した雌ねじ孔の深さが、前記ボルトと前記雌ねじ部との螺合深さである。しかして、一般的なナットないしタッピング加工により形成される雌ねじ穴の深さでは、場合によってはパネル支持体とパネル押圧部材とにより床パネルを挟持した状態が十分に安定して保持できない場合がある。
【０００５】
さらに、前記特許文献１記載の床パネル固定具と前記特許文献２記載の床パネル固定具との間には、共用可能な部品が存在しない。すなわち、これらの床パネル固定具それぞれのために別々の部品を用意する必要があり、多数の種類の部品が要求されるとともに、部品の製造コストかさむ不具合が存在する。
【０００６】
本発明は、上記問題を解決すべく構成するものである。
【課題を解決するための手段】
【０００７】
すなわち、本発明に係る床パネル固定具は、床パネルの一部を載置可能なパネル支持体と、床パネルを下方に押圧して前記パネル支持体との間で床パネルを挟持可能なパネル押圧部材とを具備するものであって、前記パネル支持体が、建築構造床面に載置され上面に凹部を有するベースと、前記ベースの上面に当接するとともに床パネルに当接するガイド板とを備え、前記ベースの凹部内に下端部を固定した雄ねじ部を起立して設けているとともに、前記パネル押圧部材が、床パネルを上方から押圧するパネル押圧部と、前記パネル押圧部の下方に設けられ前記雄ねじ部と螺合可能な雌ねじ部とを備えていることを特徴とする。
【０００８】
このようなものであれば、前記雄ねじ部及び雌ねじ部の下端を前記ベースとガイド板とが当接する当接面の高さ位置を越えてより下方に位置させることができるので、従来の床パネル固定具に用いられるガイド板及びパネル押圧部材を共用し、部材の共通化による製造コストの低減を図ことができる。さらに、雄ねじ部の長さ寸法を大きくとることができ、このような雄ねじ部に前記雌ねじ部を螺着できるので、螺合深さを十分とることができ、従ってパネル支持体とパネル押圧部材とにより床パネルを挟持した状態を安定して強固に保持するようにすることができる。
【０００９】
このような床パネル固定具を建築構造床面に安定して載置できるようにするための態様として、前記ベースの底面の一部を建築構造床面から離間させているものが挙げられる。このようなものであれば、建築構造床面に不陸がある場合であってもベースの底面全体が建築構造床面に当接するわけではないので、不陸による影響を低減することができるからである。
【００１０】
ベースを簡単かつ安価に構成することができるようにするための態様として、前記ベースが、１枚の金属板に対する板金加工により、前記ガイド板と当接する当接部と、前記凹部と、前記当接部及び前記凹部を接続する起立壁と、建築構造床面に当接する接地部と、前記当接部及び前記接地部を接続する接続部とを一体に形成してなるものが挙げられる。このようなものであれば、１枚の金属板を利用して前記当接部と、前記凹部と、前記起立壁と、前記接地部と、前記接続部とを一体に構成しているので、このようなベースの軽量化及び材料の節約を図ることができるとともに、従来の円盤からボルトを起立させて設けるベースと略同様の構成を採用できるからである。また、前記当接部及び前記凹部を前記起立壁により接続しているので、このようなベースを１枚の金属板を利用して形成し、軽量化ないし材料の節約を図りつつ、剛性を確保できる。
【００１１】
上述したような構成を有し、床パネルの高さ調節機構を省略した床パネル固定具において、建築構造床面の不陸に好適に対応するための態様として、床パネルの隅部が前記パネル支持体上に集合した状態で前記パネル支持体が床パネルを支持可能な構造を有するとともに、前記パネル支持体上に集合した床パネルの隅部を前記パネル支持体と前記パネル押圧部材との間で挟持可能であるものが挙げられる。このようなものであれば、上述したような構成により床パネル固定具が床パネルを安定して強固に保持しているとともに、床パネルの隅部を集合させた状態で床パネルを保持しているので、複数の床パネルがこのような床パネル固定具を介して強固に連結され、建築構造床面に不陸が存在する場合であっても連結された複数の床パネル全体があたかも１枚のパネルであるかのように撓み、使用者に対する違和感を低減できるからである。
【００１２】
床パネルをさらに安定して保持できるようにするための構成として、前記雌ねじ部がロックナットであるものが挙げられる。
【００１３】
前記ベースに前記ガイド板を容易にかつ安定して取り付けることができる態様として、前記ベースと前記ガイド板とのうち一方に形成した係合凸部と、他方に形成した係合凹部とを係合させてなる係合部を設けているものが挙げられる。
【発明の効果】
【００１４】
パネル支持体のベースが、その上面に凹部を有し、前記凹部内に下端部を固定した雄ねじ部を起立して設け、前記パネル押圧部材が前記雄ねじ部と螺合可能な雌ねじ部を備えているので、前記雄ねじ部及び雌ねじ部の下端を前記ベースとガイド板とが当接する当接面の高さ位置を越えてより下方に位置させることができ、従来の床パネル固定具に用いられるガイド板及びパネル押圧部材を共用し、部材の共通化による製造コストの低減を図ことができる。さらに、雄ねじ部の長さ寸法を大きくとることができ、このような雄ねじ部に前記雌ねじ部を螺着できるので、螺合深さを十分とることができ、従ってパネル支持体とパネル押圧部材とにより床パネルを挟持した状態を安定して保持するようにすることができる。
【発明を実施するための最良の形態】
【００１５】
以下、本発明の一実施形態について図面を参照して説明する。
【００１６】
この実施形態に係る床パネル固定具１は、図１に全体斜視図、図２に分解斜視図、図３に平面図、図４に正面図、図５に床パネルを取り付けた状態における中央側断面図をそれぞれ示すように、床パネルＰの一部を載置してなるパネル支持体２と、床パネルＰを下方に押圧して前記パネル支持体２との間で床パネルＰを挟持可能なパネル押圧部材３とを具備する。
【００１７】
また、この床パネル固定具１は、床パネルＰの隅部が前記パネル支持体２上に集合した状態で前記パネル支持体２が床パネルＰを支持するとともに、前記パネル支持体２上に集合した床パネルＰの隅部を前記パネル支持体２と前記パネル押圧部材３との間で挟持する構造を有する。
【００１８】
具体的には、前記パネル支持体２は、その底面の一部が建築構造床面から離間した状態で建築構造床面Ｆに載置されるベース４と、前記ベース４の上面に当接し床パネルＰの位置決めを行う機能を有するガイド板５とを備えている。
【００１９】
さらに詳述すると、前記ベース４は、図６の（ａ）に平面図、同図の（ｂ）に正面図をそれぞれ示すように、外周縁部に位置し建築構造床面Ｆに当接する接地部４４と、前記接地部４４に平面視隣接して設けられ、ガイド板を上方から当接させてなる当接部４１と、前記接地部４４及び前記当接部４１を接続する接続部４５と、前記当接部４１よりも下方に位置する凹部たるボルト取付部４２と、前記当接部４１と前記ボルト取付部４２とを接続する起立壁４３とを有する。本実施形態では、これら全てを円形の金属板に絞り加工を施すことにより形成している。また、建築構造床面Ｆの不陸に対応すべく、接地部４４を除く部分は建築構造床面Ｆと離間し、このベース４と建築構造床面Ｆとの間に空間を形成している。さらに、前記当接部４１の上面には、後述するガイド板５の係合凸部たる係合爪５３と係合可能な係合凹部たる係合孔４ａを設けている。そして、前記ボルト取付部４２内には、起立して設けられる雄ねじ部たる起立ボルト４６の下端部を溶接等により固定している。すなわち、前記ボルト取付部４２は、請求項中におけるベースの上面に設けた凹部として機能する。なお、このベース４をボルトにより建築構造床体に固定して設ける態様を可能にすべく、前記接地部４４にボルト挿通孔４ｘを形成している。また、起立ボルト４６の上端を、ベース４がガイド板５に当接する面である当接部４１の上面よりも上方に突出させるようにしてもよい。
【００２０】
一方、前記ガイド板５は、図７の（ａ）に平面図、同図の（ｂ）に正面図をそれぞれ示すように、図１４中のガイド板ｘ５とほぼ同様の円盤状をなす樹脂製板状の部材であり、その平面視中心部に前記パネル押圧部材３を通過させることの可能な開口５ａを設けている。さらに、その上面には床パネルＰを位置決めすべく第１及び第２の突起５１、５２が設けてある。第１の突起５１は、周回方向に等間隔、すなわち９０度ごとに設けられていて、平面視略矩形状をなす。一方、第２の突起は、略円錐形をなし、互いに周回方向に隣接する第１の突起５１の中間、すなわち第１の突起５１の中心線から４５度の位置ごとにそれぞれ設けられている。そして、外周部には、前記ベース４の係合孔４ａと係合可能な係合爪５３を設けていて、これら係合孔４ａと係合爪５３とを係合させることによりこのガイド板５を前記ベース４に取り付けるようにしている。すなわち、これら係合孔４ａ及び係合爪５３は、請求項中の係合部として機能する。
【００２１】
また、前記パネル押圧部材３は、本実施形態では上述した特許文献１記載のもの、すなわち図１４中のパネル押圧部材ｘ３と同様の構成を有する。すなわち、床パネルＰを上方から押圧して前記パネル支持体２との間で床パネルＰを挟持するパネル押圧部たる鍔部３１と、前記鍔部３１の下方に設けられ前記雄ねじ部と螺合可能な雌ねじ部３３を有する筒部３２とを備えている。前記鍔部３１は、円盤状をなし、その下面が床パネルＰに当接する。前記雌ねじ部３３は、本実施形態では前記筒部３２の内面のうち、下端から所定の深さの部分に形成している。また、この雌ねじ部３３は、本実施形態ではロックナットとして形成している。
【００２２】
このような床パネル固定具１を介して床パネルＰを設置する手順、並びに各部の作用を以下に示す。
【００２３】
まず、前記ベース４の係合孔４ａに前記ガイド板５の係合爪５３を係合させ、前記ベース４に前記ガイド板５を取り付ける。次いで、前記ベース４を、前記ガイド板５を取り付けた状態で建築構造床面Ｆに敷設する。それから、前記ガイド板５の第１及び第２の突起５１、５２と床パネルＰの裏面に設けた凹部（図示略）とを嵌め合わせるようにして床パネルＰの位置決めを行いつつ、床パネルＰを前記パネル支持体２上に載置する。このとき、上述したように、床パネルＰの隅部が前記パネル支持体２上に集合した状態となっている。そして、前記パネル押圧部材３の雌ねじ部３３を前記ベース４の起立ボルト４６に螺着し、前記パネル押圧部材３の鍔部３１の下面を前記床パネルＰの上面に当接させる。このとき、前記パネル押圧部材３の雌ねじ部３３は、前記当接面、すなわちベース４の当接部４１の上端面の高さ位置を越えてさらに下方まで螺着される。そして、前記雌ねじ部３３を前記起立ボルト４６に螺合することにより前記パネル支持体２と前記パネル押圧部材３との間に締着力が発生する。すなわち、前記パネル押圧部材３の鍔部３１が前記床パネルＰを上方から押圧して該鍔部３１と前記パネル支持体２との間で、床パネルＰが建築構造床面Ｆから離間した位置に挟持される。
【００２４】
また、この床パネルＰを敷き詰める建築空間の端縁部においては、図８に分解斜視図を示すような端縁部固定部材６により２枚の床パネルＰを保持するようにしている。前記端縁部固定部材６は、図９に示すような端縁部用ベース６２及び図１０に示すような端縁部用ガイド板６３を有する端縁部用パネル保持部材６１と、図１１に示すような端縁部用パネル押圧部材６４とを備える。前記端縁部用パネル保持部材６１は、前記端縁部用ベース６２に形成した係合孔６２ａに前記端縁部用ガイド板６３に形成した係合爪６３３を係合させてなり、前記端縁部用ガイド板６３に形成した第１及び第２の突起６３１、６３２に床パネルＰの裏面に設けた凹部（図示略）とを嵌め合わせるようにして２枚の床パネルＰの隅部を載置し、該２枚の床パネルＰの位置決めを行うようにしている。この端縁部用パネル保持部材６１上に２枚の床パネルＰを載置した状態においては、該２枚の床パネルＰの隅部に形成した４分の１円状の切り欠きが集合して見かけ上半円状の切り欠きが形成されるとともに、この切り欠きの周囲に凹部が形成される。前記凹部端縁部用パネル押圧部材６４は、この半円状の凹部に係合可能な平面形状をなす鍔部６４１と、前記切り欠きに係合可能であり下方に延伸する突起部６４２とを有し、床パネルＰの固定に先立ち前記鍔部６４１を前記半円状の凹部に係合させるようにしている。そして、前記鍔部６４１の中央部には図示しないタッピングビスのねじ頭を挿入可能な皿繰り部６４１ａを形成しているとともに、前記端縁部用ベース６２の前記皿繰り部６４１ａ直下の位置にはタッピングビスの挿通可能なビス挿通孔６２ｘを形成している。そして、前記ビス挿通孔６２ｘにタッピングビスを挿通させ、該タッピングビスのねじ頭を皿繰り部６４１ａに挿入させた状態で、床パネルＰを固定するようにしている。なお、前記図９の（ａ）には前記端縁部用ベース６２の平面図、同図の（ｂ）には同正面図、同図の（ｃ）には同側面図をそれぞれ示している。また、前記図１０の（ａ）には前記端縁部用ガイド板６３の平面図、同図の（ｂ）には同正面図、同図の（ｃ）には同中央横断面図をそれぞれ示している。そして、前記図１１の（ａ）には前記端縁部用パネル押圧部材６４の平面図、同図の（ｂ）には同正面図、同図の（ｃ）には同中央横断面図をそれぞれ示している。
【００２５】
本実施形態に係る床パネル固定具１は、以上に述べたように、前記ベース４が、当接部４１よりも下方にボルト取付部４２を有し、前記ボルト取付部４２内に前記起立ボルト４６の下端部を固定しているので、前記起立ボルト４６の長さ寸法は前記ボルト取付部４２の高さ位置と前記当接部４１の高さ位置との離間幅だけ大きくとることができる。すなわち、前記当接部４１の高さ位置を越えてより下方まで前記雌ねじ部３３を前記起立ボルト４６に螺着できるので、従来用いられてきた図１４に示すようなガイド板ｘ５及びパネル押圧部材ｘ３を、ガイド板５及びパネル押圧部材３として共用しつつ、螺合深さを十分とることができる。すなわち、従来用いられてきたガイド板及びパネル押圧部材を共用しつつ、パネル支持体２とパネル押圧部材３とにより床パネルＰを挟持した状態を安定して保持することができる。
【００２６】
また、前記ベース４の底面の一部、具体的には接地部４４を除く部分の底面を建築構造床面Ｆから離間させているので、建築構造床面Ｆに不陸がある場合であっても、建築構造床面Ｆに当接するのは接地部４４のみであり、底面全体を接地させた場合と比較して不陸のある箇所にベース４の底面が当接する可能性が少ないので、不陸による影響が低減され、床パネル固定具１を建築構造床面Ｆに安定して載置できる。
【００２７】
さらに、前記ベース４が、１枚の金属板に対する絞り加工により、前記当接部４１と、前記ボルト取付部４２と、前記起立壁４３と、前記接地部４４と、前記接続部４５とを一体に形成してなるので、このようなベース４の軽量化及び材料の節約を図ることができるとともに、ベース４を簡単かつ安価に構成することができる。また、前記当接部４１及び前記ボルト取付部４２を前記起立壁４３により接続しているので、このようなベース４を１枚の金属板を利用して形成し、軽量化ないし材料の節約を図りつつ、剛性を確保できる。
【００２８】
加えて、床パネルＰの隅部が前記パネル支持体２上に集合した状態で前記パネル支持体２が床パネルＰを支持するとともに、前記パネル押圧部材３が前記パネル支持体２上に集合した床パネルＰの隅部を前記パネル支持体２との間で挟持する構造を有するので、複数の床パネルＰがこのような床パネル固定具１を介して強固に連結され、建築構造床面Ｆに不陸が存在する場合であっても連結された複数の床パネルＰ全体があたかも１枚のパネルであるかのように撓み、床パネルＰの高さ調節機構を省略しつつ使用者に対する違和感を低減できる。
【００２９】
さらに、前記雌ねじ部３３がロックナットであるので、該雌ねじ部３３と前記起立ボルト４６との螺着をより強固に行うことができ、従って床パネルＰをさらに安定して保持できる。
【００３０】
そして、前記ガイド板５に形成した係合爪５３と、前記ベース４に形成した係合孔４ａとを係合させて前記ガイド板５を前記ベース４に取り付けるようにしているので、前記ベース４に前記ガイド板５を容易にかつ安定して取り付けることができる。
【００３１】
なお、本発明は、以上に述べた実施形態に限られない。
【００３２】
例えば、図１２に床パネルＰを取り付けた状態における中央横断面図を示す床パネル支持具１０のように、支持脚４０１及びガイド板受け部材４０２を有するベース４０と、ガイド板５とを備えるパネル支持体２０を用いてもよい。
【００３３】
この態様において、ガイド板受け部材４０２は、ガイド板５を上方から当接させてなる当接部４０３、前記当接部４０３よりも下方に位置する凹部たるボルト取付部４０４、及び前記当接部４０３と前記ボルト取付部４０４とを接続する起立壁４０５とを有する。そして、前記ボルト取付部４０４内に、起立して設けられる雄ねじ部たる起立ボルト４６の下端部を溶接等により固定するようにしている。
【００３４】
支持脚４０１は、建築構造床面Ｆに当接して前記ガイド板受け部材４０２を下方から支持し、該ガイド板受け部材４０２、ガイド板５、及び床パネルＰを建築構造床面Ｆから離間させて支持する。
【００３５】
このようなものであっても、前記ボルト取付部４０４を前記当接部４０３よりも下方に位置させ、起立ボルト４６の下端部をこのボルト取付部４０４内に固定しているので、従来用いられてきたパネル押圧部材３を共用しつつ、雄ねじ部材たる起立ボルト４６の長さを長くとることができ、パネル押圧部材３の雌ねじ部３３を前記当接部４０３の上端面を越えて下方まで螺着し螺合深さを大きくとることができるので、床パネルＰを安定して保持できるようにする効果を得ることができる。特に、前記当接部４０３、前記ボルト取付部４０４、及び前記起立壁４０５を有するガイド板受け部材４０２が、１枚の金属板に対する絞り加工等の加工を施して一体に形成されているものであれば、従来の円盤からボルトを起立させて設けるベースと略同様の構成を採用でき、ベース４０を簡単かつ安価に構成することができるとともに、軽量化ないし材料の節約を図りつつ剛性を確保できる。
【００３６】
さらに、ベースへのガイド板への取付構造は、上述したような係合爪と係合孔とを用いるもの以外にも、例えばガイド板をベースに螺着して取り付ける態様等が考えられる。
【００３７】
加えて、図１３に床パネルを取り付けた状態における中央横断面図を示す床パネル支持具１００のパネル支持体２００のように、上面に凹部を有する中実の部材をベース４００とし、このベース４００の上面に形成した凹部４００１内に起立ボルト４６の下端部を固定する態様であっても、ベース４００の上面に凹部４００１を有するので、少なくともベース４００とガイド板５とが当接する当接面を越えてより下方までパネル押圧部材３の雌ねじ部３３を起立ボルト４６に螺着できるので、従来用いられてきたパネル押圧部材３を共用しつつ、螺合深さを十分とり、パネル支持体２００とパネル押圧部材３とにより床パネルＰを挟持した状態を安定して保持することができる効果を得ることはできる。
【００３８】
その他、本発明の趣旨を損ねない範囲で種々に変形してよい。
【図面の簡単な説明】
【００３９】
【図１】本発明の一実施形態に係る床パネル固定具を示す全体斜視図。
【図２】同実施形態に係る床パネル固定具を示す分解斜視図。
【図３】同実施形態に係る床パネル固定具を示す平面図。
【図４】同実施形態に係る床パネル固定具を示す正面図。
【図５】同実施形態に係る床パネル固定具に床パネルを取り付けた状態における中央側断面図。
【図６】同実施形態に係る床パネル固定具のベースを示す平面図及び正面図。
【図７】同実施形態に係る床パネル固定具のガイド板を示す平面図及び正面図。
【図８】同実施形態に係る端縁部固定部材を示す分解斜視図。
【図９】同実施形態に係る端縁部固定部材の端縁部用ベースを示す図。
【図１０】同実施形態に係る端縁部固定部材の端縁部用ガイド板を示す図。
【図１１】同実施形態に係る床パネル固定具のパネル押圧部材を示す図。
【図１２】本発明の他の実施形態に係る床パネル固定具に床パネルを取り付けた状態における中央側断面図。
【図１３】本発明の他の実施形態に係る床パネル固定具に床パネルを取り付けた状態における中央側断面図。
【図１４】従来の床パネル固定具を示す分解斜視図。
【符号の説明】
【００４０】
１、１０、１００…床パネル固定具
２、２０、２００…パネル支持体
３…パネル押圧部材
３１…鍔部（パネル押圧部）
３３…雌ねじ部
４、４０、４００…ベース
４１、４０３…当接部
４２、４０４…ボルト取付部（凹部）
４３、４０５…起立壁
４４…接地部
４５…接続部
４６…起立ボルト（雄ねじ部）
４ａ…係合孔（係合凹部）
５…ガイド板
５３…係合爪（係合凸部）
Ｐ…床パネル
Ｆ…建築構造床面
【図１】
2005325541.tif 000003
【図２】
2005325541.tif 000004
【図３】
2005325541.tif 000005
【図４】
2005325541.tif 000006
【図５】
2005325541.tif 000007
【図６】
2005325541.tif 000008
【図７】
2005325541.tif 000009
【図８】
2005325541.tif 000010
【図９】
2005325541.tif 000011
【図１０】
2005325541.tif 000012
【図１１】
2005325541.tif 000013
【図１２】
2005325541.tif 000014
【図１３】
2005325541.tif 000015
【図１４】
2005325541.tif 000016